(57)【要約】【課題】リレーノード内の干渉を低減する。【解決手段】本発明に係る移動通信方法は、無線基地局ＤｅＮＢとリレーノードＲＮとの間でコネクションを設定する際に、無線基地局ＤｅＮＢが、リレーノードＲＮに対して所定タイミングを通知する工程Ａと、無線基地局ＤｅＮＢが、所定タイミングでリレーノードＲＮに対して下り信号を送信するようにスケジューリングを行う工程Ｂと、リレーノードＲＮが、所定タイミング以外のタイミングで下り信号を送信するようにスケジューリングを行う工程Ｃとを有する。【選択図】図７
2011004371.tif 000002
【特許請求の範囲】
【請求項１】
無線基地局とリレーノードとの間でコネクションを設定する際に、該無線基地局が、該リレーノードに対して、所定タイミングを通知する工程Ａと、
前記無線基地局が、前記所定タイミングで前記リレーノードに対して下り信号を送信するようにスケジューリングを行う工程Ｂと、
前記リレーノードが、前記所定タイミング以外のタイミングで下り信号を送信するようにスケジューリングを行う工程Ｃとを有することを特徴とする移動通信方法。
【請求項２】
前記コネクションは、ＲＲＣコネクションであり、
前記工程Ａにおいて、前記無線基地局は、前記ＲＲＣコネクションの設定手順において送信される「ＲＲＣ  Ｃｏｎｎｅｃｔｉｏｎ  Ｒｅｃｏｎｆｉｇｕｒａｔｉｏｎ」によって、前記リレーノードに対して、前記所定タイミングを通知することを特徴とする請求項１に記載の移動通信方法。
【請求項３】
無線基地局とリレーノードとの間でコネクションを設定する際に、該リレーノードが、該無線基地局に対して、所定タイミングを通知する工程Ａと、
前記無線基地局が、前記所定タイミングで前記リレーノードに対して下り信号を送信するようにスケジューリングを行う工程Ｂと、
前記リレーノードが、前記所定タイミング以外のタイミングで下り信号を送信するようにスケジューリングを行う工程Ｃとを有することを特徴とする移動通信方法。
【請求項４】
前記コネクションは、ＲＲＣコネクションであり、
前記工程Ａにおいて、前記リレーノードは、前記ＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」によって、前記無線基地局に対して、前記所定タイミングを通知することを特徴とする請求項３に記載の移動通信方法。
【請求項５】
前記所定タイミングは、ＭＢＳＦＮサブフレームの送信タイミングであることを特徴とする請求項１乃至４のいずれか一項に記載の移動通信方法。
【請求項６】
無線基地局であって、
リレーノードとの間でコネクションを設定する際に、該リレーノードに対して、所定タイミングを通知するように構成されている通知部と、
前記所定タイミングで前記リレーノードに対して下り信号を送信するようにスケジューリングを行うように構成されているスケジューリング部とを具備することを特徴とする無線基地局。
【請求項７】
前記コネクションは、ＲＲＣコネクションであり、
前記ＲＲＣコネクションの設定手順において送信される「ＲＲＣ  Ｃｏｎｎｅｃｔｉｏｎ  Ｒｅｑｕｅｓｔ」を受信するように構成されている受信部を具備し、
前記ＲＲＣコネクションの設定手順において、前記通知部は、前記受信部によって受信された「ＲＲＣ  Ｃｏｎｎｅｃｔｉｏｎ  Ｒｅｑｕｅｓｔ」の送信元が前記リレーノードである場合、「ＲＲＣ  Ｃｏｎｎｅｃｔｉｏｎ  Ｒｅｃｏｎｆｉｇｕｒａｔｉｏｎ」によって、前記リレーノードに対して、前記所定タイミングを通知するように構成されていることを特徴とする請求項６に記載の無線基地局。
【請求項８】
無線基地局であって、
リレーノードとの間でコネクションを設定する際に、該リレーノードから、所定タイミングを取得するように構成されている取得部と、
前記所定タイミングで前記リレーノードに対して下り信号を送信するようにスケジューリングを行うように構成されているスケジューリング部とを具備することを特徴とする無線基地局。
【請求項９】
前記コネクションは、ＲＲＣコネクションであり、
前記取得部は、前記ＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」から前記所定タイミングを取得するように構成されていることを特徴とする請求項７に記載の無線基地局。
【請求項１０】
前記所定タイミングは、ＭＢＳＦＮサブフレームの送信タイミングであることを特徴とする請求項６乃至９のいずれか一項に記載の無線基地局。
【請求項１１】
リレーノードであって、
無線基地局との間でコネクションを設定する際に、該無線基地局から、所定タイミングを取得するように構成されている取得部と、
前記所定タイミング以外のタイミングで下り信号を送信するようにスケジューリングを行うように構成されているスケジューリング部とを具備することを特徴とするリレーノード。
【請求項１２】
前記コネクションは、ＲＲＣコネクションであり、
前記取得部は、前記ＲＲＣコネクションの設定手順において送信される「ＲＲＣ  Ｃｏｎｎｅｃｔｉｏｎ  Ｒｅｃｏｎｆｉｇｕｒａｔｉｏｎ」から、前記所定タイミングを取得するように構成されていることを特徴とする請求項１１に記載のリレーノード。
【請求項１３】
前記ＲＲＣコネクションの設定手順において、前記リレーノードによって送信されたことを示す情報を含む「ＲＲＣ  Ｃｏｎｎｅｃｔｉｏｎ  Ｒｅｑｕｅｓｔ」を送信するように構成されている送信部を具備することを特徴とする請求項１２に記載のリレーノード。
【請求項１４】
リレーノードであって、
無線基地局との間でコネクションを設定する際に、該無線基地局に対して、所定タイミングを通知するように構成されている通知部と、
前記所定タイミング以外のタイミングで下り信号を送信するようにスケジューリングを行うように構成されているスケジューリング部とを具備することを特徴とするリレーノード。
【請求項１５】
前記コネクションは、ＲＲＣコネクションであり、
前記ＲＲＣコネクションの設定手順において、前記通知部は、「ＲＲＣ  ＲＮ（ＵＥ）  Ｃａｐａｂｉｌｉｔｙ  Ｉｎｆｏｒｍａｔｉｏｎ」によって、前記無線基地局に対して、前記所定タイミングを通知するように構成されていることを特徴とする請求項１４に記載のリレーノード。
【請求項１６】
前記所定タイミングは、ＭＢＳＦＮサブフレームの送信タイミングであることを特徴とする請求項１１乃至１５のいずれか一項に記載のリレーノード。
【発明の詳細な説明】
【技術分野】
【０００１】
本発明は、移動通信方法、無線基地局及びリレーノードに関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
かかるＬＴＥ-Ａｄｖａｎｃｅｄ方式の移動通信システムでは、移動局ＵＥとコアノードＣＮ（Ｃｏｒｅ  Ｎｏｄｅ）との間で、Ｅ-ＲＡＢ（Ｅ-ＵＴＲＡＮ  Ｒａｄｉｏ  Ａｃｃｅｓｓ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢとコアノードＣＮとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  Ｒ１-０８４６８６、「Ｕｐｄａｔｅｄ  ＷＦ ｏｎ  ａｄｄｒｅｓｓｉｎｇ  ｆｏｒｗａｒｄ  ｃｏｍｐａｔｉｂｉｌｉｔｙ  ｉｎ  Ｒｅｌ-８」、２００８年１１月
【発明の概要】
【発明が解決しようとする課題】
【０００５】
しかしながら、かかる移動通信システムにおいて、リレーノードＲＮによる無線基地局ＤｅＮＢからの下り信号の受信処理（Ｕｎ無線ベアラにおける受信処理）とリレーノードＲＮによる移動局ＵＥへの下り信号の送信処理（Ｕｕ無線ベアラにおける送信処理）とが同時に行われる場合や、リレーノードＲＮによる移動局ＵＥからの上り信号の受信処理（Ｕｕ無線ベアラにおける受信処理）とリレーノードＲＮによる無線基地局ＤｅＮＢへの上り信号の送信処理（Ｕｎ無線ベアラにおける送信処理）とが同時に行われる場合、リレーノードＲＮの送信信号がリレーノードＲＮ自身の受信機に回り込み、干渉が発生してしまうという問題点があった。
【０００６】
そこで、本発明は、上述の課題に鑑みてなされたものであり、Ｕｎ無線ベアラにおける送受信処理及びＵｕ無線ベアラにおける送受信処理が同時に行われることから引き起こされるリレーノード自身の受信機への干渉を低減することができる移動通信方法、無線基地局及びリレーノードを提供することを目的とする。
【課題を解決するための手段】
【０００７】
本発明の第１の特徴は、移動通信方法であって、無線基地局とリレーノードとの間でコネクションを設定する際に、該無線基地局が、該リレーノードに対して、所定タイミングを通知する工程Ａと、前記無線基地局が、前記所定タイミングで前記リレーノードに対して下り信号を送信するようにスケジューリングを行う工程Ｂと、前記リレーノードが、前記所定タイミング以外のタイミングで下り信号を送信するようにスケジューリングを行う工程Ｃとを有することを要旨とする。
【０００８】
本発明の第２の特徴は、移動通信方法であって、無線基地局とリレーノードとの間でコネクションを設定する際に、該リレーノードが、該無線基地局に対して、所定タイミングを通知する工程Ａと、前記無線基地局が、前記所定タイミングで前記リレーノードに対して下り信号を送信するようにスケジューリングを行う工程Ｂと、前記リレーノードが、前記所定タイミング以外のタイミングで下り信号を送信するようにスケジューリングを行う工程Ｃとを有することを要旨とする。
【０００９】
本発明の第３の特徴は、無線基地局であって、リレーノードとの間でコネクションを設定する際に、該リレーノードに対して、所定タイミングを通知するように構成されている通知部と、前記所定タイミングで前記リレーノードに対して下り信号を送信するようにスケジューリングを行うように構成されているスケジューリング部とを具備することを要旨とする。
【００１０】
本発明の第４の特徴は、無線基地局であって、リレーノードとの間でコネクションを設定する際に、該リレーノードから、所定タイミングを取得するように構成されている取得部と、前記所定タイミングで前記リレーノードに対して下り信号を送信するようにスケジューリングを行うように構成されているスケジューリング部とを具備することを要旨とする。
【００１１】
本発明の第５の特徴は、リレーノードであって、無線基地局との間でコネクションを設定する際に、該無線基地局から、所定タイミングを取得するように構成されている取得部と、前記所定タイミング以外のタイミングで下り信号を送信するようにスケジューリングを行うように構成されているスケジューリング部とを具備することを要旨とする。
【００１２】
本発明の第６の特徴は、リレーノードであって、無線基地局との間でコネクションを設定する際に、該無線基地局に対して、所定タイミングを通知するように構成されている通知部と、前記所定タイミング以外のタイミングで下り信号を送信するようにスケジューリングを行うように構成されているスケジューリング部とを具備することを要旨とする。
【発明の効果】
【００１３】
以上説明したように、本発明によれば、Ｕｎ無線ベアラにおける送受信処理及びＵｕ無線ベアラにおける送受信処理が同時に行われることから引き起こされるリレーノード自身の受信機への干渉を低減することができる移動通信方法、無線基地局及びリレーノードを提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける「ＲＲＣ  Ｃｏｎｎｅｃｔｉｏｎ  Ｒｅｑｕｅｓｔ」のフォーマットの一例を示す図である。
【図４】本発明の第１の実施形態に係る移動通信システムにおける「ＲＲＣ  Ｃｏｎｎｅｃｔｉｏｎ  Ｒｅｃｏｎｆｉｇｕｒａｔｉｏｎ」のフォーマットの一例を示す図である。
【図５】本発明の第１の実施形態に係る移動通信システムにおいてサブフレームパターンを通知する方法の一例について説明するための図である。
【図６】本発明の第１の実施形態に係るリレーノードの機能ブロック図である。
【図７】本発明の第１の実施形態に係る移動通信システムの動作を示すシーケンス図である。
【図８】本発明の第１の実施形態の変更例１に係る移動通信システムの動作を示すシーケンス図である。
【図９】本発明の第２の実施形態に係るリレーノードの機能ブロック図である。
【図１０】本発明の第２の実施形態に係る移動通信システムにおける「ＲＲＣ  ＲＮ（ＵＥ）  Ｃａｐａｂｉｌｉｔｙ  Ｉｎｆｏｒｍａｔｉｏｎ」のフォーマットの一例を示す図である。
【図１１】本発明の第２の実施形態に係る無線基地局の機能ブロック図である。
【図１２】本発明の第２の実施形態に係る移動通信システムの動作を示すシーケンス図である。
【図１３】本発明の第２の実施形態の変更例１に係る移動通信システムの動作を示すシーケンス図である。
【発明を実施するための形態】
【００１５】
（本発明の第１の実施形態に係る移動通信システムの構成）
図１乃至図６を参照して、本発明の第１の実施形態に係る移動通信システムの構成について説明する。
【００１６】
図１に示すように、本実施形態に係る移動通信システムは、ＬＴＥ-Ａｄｖａｎｃｅｄ方式の移動通信システムであって、コアネットワークノード内のコアノード（例えば、ゲートウェイ装置Ｓ-ＧＷや交換局ＭＭＥ等）や、無線基地局ＤｅＮＢや、リレーノードＲＮ等を具備している。
【００１７】
ここで、図１の例では、無線基地局ＤｅＮＢと移動局ＵＥとの間には、Ｕｕ無線ベアラが設定されており、無線基地局ＤｅＮＢとリレーノードＲＮとの間には、Ｕｎ無線ベアラが設定されており、リレーノードＲＮと移動局ＵＥとの間には、Ｕｕ無線ベアラが設定されている。
【００１８】
また、無線基地局ＤｅＮＢとリレーノードＲＮとの間では、ＳＦＮ（Ｓｙｓｔｅｍ  Ｆｒａｍｅ  Ｎｕｍｂｅｒ）同期が取られているものとする。すなわち、リレーノードＲＮが、無線基地局ＤｅＮＢによって送信されている報知情報に含まれているＳＦＮに基づいて、無線基地局ＤｅＮＢに対してＳＦＮレベルで同期を取るように構成されている。
【００１９】
また、無線基地局ＤｅＮＢとリレーノードＲＮとの間でＳＦＮ同期が取られていない場合、無線基地局ＤｅＮＢは、自身が送信する無線フレームのＳＦＮとリレーノードＲＮが送信する無線フレームのＳＦＮとが同時刻で何フレームずれているかを把握するように構成されている。
【００２０】
また、無線基地局ＤｅＮＢ及びリレーノードＲＮは、時分割多重方式で、上り信号及び下り信号を送信するように構成されている。
【００２１】
図２に示すように、無線基地局ＤｅＮＢは、受信部１１と、送信部１２と、スケジューリング部１３と、決定部１４とを具備している。
【００２２】
受信部１１は、Ｕｎ無線ベアラを介してリレーノードＲＮから送信された上り信号や、Ｕｕ無線ベアラを介して移動局ＵＥから送信された上り信号や、コアノードＣＮから送信された下り信号を受信するように構成されている。
【００２３】
例えば、受信部１１は、無線基地局ＤｅＮＢとリレーノードＲＮとの間のＲＲＣコネクションの設定手順においてリレーノードＲＮから送信される「ＲＲＣ  Ｃｏｎｎｅｃｔｉｏｎ  Ｒｅｑｕｅｓｔ」等を受信するように構成されている。
【００２４】
送信部１２は、Ｕｎ無線ベアラを介してリレーノードＲＮに対して下り信号を送信し、Ｕｕ無線ベアラを介して移動局ＵＥに対して下り信号を送信し、コアノードＣＮに対して上り信号を送信するように構成されている。
【００２５】
また、送信部１２は、リレーノードＲＮとの間でＲＲＣコネクションを設定する際に、リレーノードＲＮに対して、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームの送信タイミング（所定タイミング）を通知するように構成されている。
【００２６】
ここで、ＭＢＳＦＮサブフレームは、ＭＢＳＦＮ用通信で用いられるサブフレームである。なお、本明細書において、ＭＢＳＦＮサブフレームには、３ＧＰＰ会合において「Ｂｌａｎｋサブフレーム」と呼ばれている制御信号用ＯＦＤＭシンボルが送信されないように規定されているＭＢＳＦＮサブフレームも含まれるものとする。
【００２７】
また、送信部１２は、受信部１１によって受信された「ＲＲＣ  Ｃｏｎｎｅｃｔｉｏｎ  Ｒｅｑｕｅｓｔ」の送信元がリレーノードＲＮである場合、リレーノードＲＮに対して、ＭＢＳＦＮサブフレームの送信タイミングを通知するように構成されていてもよい。
【００２８】
図３に、既存の「ＲＲＣ  Ｃｏｎｎｅｃｔｉｏｎ  Ｒｅｑｕｅｓｔ」のフォーマットの一例を示す。
【００２９】
例えば、かかる「ＲＲＣ  Ｃｏｎｎｅｃｔｉｏｎ  Ｒｅｑｕｅｓｔ」内の情報要素「ＲＲＣＣｏｎｎｅｃｔｉｏｎＲｅｑｕｅｓｔ-ｒ８」内の「ｓｐａｒｅ」（Ｘ）に、「リレーノードＲＮ」又は「移動局ＵＥ」のいずれかを示すビット（フラグ）が設けられていてもよい。
【００３０】
或いは、かかる「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」内の「ｓｐａｒｅ３」（Ｙ）等に、「リレーノードＲＮ」又は「移動局ＵＥ」のいずれかを示すビット（フラグ）が設けられていてもよい。
【００３１】
ここで、送信部１２は、既存の「ＲＲＣ  Ｃｏｎｎｅｃｔｉｏｎ  Ｒｅｑｕｅｓｔ」内に設けられたフラグが「リレーノードＲＮ」を示す場合、受信部１１によって受信された「ＲＲＣ  Ｃｏｎｎｅｃｔｉｏｎ  Ｒｅｑｕｅｓｔ」の送信元がリレーノードＲＮであると判定するように構成されていてもよい。
【００３２】
また、送信部１２は、既存のＲＲＣコネクションの設定手順において送信される「ＲＲＣ  Ｃｏｎｎｅｃｔｉｏｎ  Ｒｅｃｏｎｆｉｇｕｒａｔｉｏｎ」によって、リレーノードＲＮに対して、ＭＢＳＦＮサブフレームの送信タイミングを通知するように構成されていてもよい。
【００３３】
例えば、図４に示すように、送信部１２は、「ＲＲＣ  Ｃｏｎｎｅｃｔｉｏｎ  Ｒｅｃｏｎｆｉｇｕｒａｔｉｏｎ」内の情報要素「ｃｒｉｔｉｃａｌＥｘｔｅｎｓｉｏｎｓ」内の「ｃｒｉｔｉｃａｌＥｘｔｅｎｓｉｏｎｓＦｕｔｕｒｅ」（Ｚ）に、ＭＢＳＦＮサブフレームの送信タイミングを示す「ＭＢＳＦＮサブフレーム割り当てパターン（図５参照）」を設定してもよい。
【００３４】
決定部１４は、リレーノードＲＮに対して通知すべきＭＢＳＦＮサブフレームの送信タイミングを決定するように構成されている。
【００３５】
例えば、決定部１４は、無線基地局ＤｅＮＢ配下のリレーノードＲＮや移動局ＵＥの数や、トラフィック量を考慮して、リレーノードＲＮに対して通知すべきＭＢＳＦＮサブフレームの送信タイミングを決定するように構成されている。
【００３６】
スケジューリング部１３は、無線基地局ＤｅＮＢ配下のリレーノードＲＮや移動局ＵＥに係るスケジューリングを行うように構成されている。
【００３７】
具体的には、スケジューリング部１３は、ＭＢＳＦＮサブフレームの送信タイミングでリレーノードＲＮに対して下り信号を送信するようにスケジューリングを行うように構成されている。
【００３８】
図６に示すように、リレーノードＲＮは、受信部２１と、スケジューリング部２２と、送信部２４とを具備している。
【００３９】
受信部１１は、Ｕｎ無線ベアラを介して無線基地局ＤｅＮＢから送信された下り信号や、Ｕｕ無線ベアラを介して移動局ＵＥから送信された上り信号を受信するように構成されている。
【００４０】
また、受信部２１は、無線基地局ＤｅＮＢとの間でＲＲＣコネクションを設定する際に、無線基地局ＤｅＮＢから、ＭＢＳＦＮサブフレームの送信タイミングを取得するように構成されている。
【００４１】
例えば、受信部２１は、既存のＲＲＣコネクションの設定手順において送信される「ＲＲＣ  Ｃｏｎｎｅｃｔｉｏｎ  Ｒｅｃｏｎｆｉｇｕｒａｔｉｏｎ」から、ＭＢＳＦＮサブフレームの送信タイミングを取得するように構成されていてもよい。
【００４２】
スケジューリング部２２は、リレーノードＲＮ配下の移動局ＵＥに係るスケジューリングを行うように構成されている。
【００４３】
具体的には、スケジューリング部２２は、ＭＢＳＦＮサブフレームの送信タイミング以外のタイミングで下り信号を送信するようにスケジューリングを行うように構成されている。
【００４４】
送信部２４は、Ｕｎ無線ベアラを介して無線基地局ＤｅＮＢに対して上り信号を送信し、Ｕｕ無線ベアラを介して移動局ＵＥに対して下り信号を送信するように構成されている。
【００４５】
また、送信部２４は、ＲＲＣコネクションの設定手順において、無線基地局ＤｅＮＢに対して、リレーノードＲＮによって送信されたことを示す情報を含む「ＲＲＣ  Ｃｏｎｎｅｃｔｉｏｎ  Ｒｅｑｕｅｓｔ」を送信するように構成されている。
【００４６】
（本発明の第１の実施形態に係る移動通信システムの動作）
図７を参照して、本発明の第１の実施形態に係る移動通信システムの動作について説明する。
【００４７】
図７に示すように、ステップＳ１００１において、リレーノードＲＮは、起動時に、無線基地局ＤｅＮＢに対して、「ＲＲＣ  Ｃｏｎｎｅｃｔｉｏｎ  Ｒｅｑｕｅｓｔ」を送信する。
【００４８】
ステップＳ１００２において、無線基地局ＤｅＮＢは、「ＲＲＣ  Ｃｏｎｎｅｃｔｉｏｎ  Ｒｅｑｕｅｓｔ」内に設定されているフラグに基づいて、かかる「ＲＲＣ  Ｃｏｎｎｅｃｔｉｏｎ  Ｒｅｑｕｅｓｔ」がリレーノードＲＮから送信されたものであると判定し、リレーノードＲＮに対して、「ＲＲＣ  Ｃｏｎｎｅｃｔｉｏｎ  Ｓｅｔｕｐ」を送信する。
【００４９】
ステップＳ１００３において、リレーノードＲＮは、無線基地局ＤｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００５０】
ステップＳ１００４において、無線基地局ＤｅＮＢは、コアノードＣＮに対して、「Ａｔｔａｃｈ  Ｒｅｑｕｅｓｔ」を含む「Ｉｎｉｔｉａｌ  ＵＥ  Ｍｅｓｓａｇｅ」を送信する。
【００５１】
ステップＳ１００５において、リレーノードＲＮとコアノードＣＮとの間で「Ａｕｔｈｅｎｔｉｃａｔｉｏｎ/Ｓｅｃｕｒｉｔｙ処理」が完了した後、ステップＳ１００６において、コアノードＣＮは、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００５２】
ステップＳ１００７において、無線基地局ＤｅＮＢは、リレーノードＲＮに対して、「ＲＲＣ  ＲＮ（ＵＥ）  Ｃａｐａｂｉｌｉｔｙ  Ｅｎｑｕｉｒｙ」を送信する。
【００５３】
ステップＳ１００８において、リレーノードＲＮは、無線基地局ＤｅＮＢに対して、「ＲＲＣ  ＲＮ（ＵＥ）  Ｃａｐａｂｉｌｉｔｙ  Ｉｎｆｏｒｍａｔｉｏｎ」を送信する。
【００５４】
ステップＳ１００９において、無線基地局ＤｅＮＢは、コアノードＣＮに対して、「（ＵＥ）  Ｃａｐａｂｉｌｉｔｙ  Ｉｎｆｏ  Ｉｎｄｉｃａｔｉｏｎ」を送信する。
【００５５】
無線基地局ＤｅＮＢは、リレーノードＲＮに対して、ステップＳ１０１０において、「Ｓｅｃｕｒｉｔｙ  Ｍｏｄｅ  Ｃｏｍｍａｎｄ」を送信し、ステップＳ１０１１において、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００５６】
ここで、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、上述のＭＢＳＦＮサブフレームの送信タイミングを通知する。
【００５７】
リレーノードＲＮは、無線基地局ＤｅＮＢに対して、ステップＳ１０１２において、「Ｓｅｃｕｒｉｔｙ  Ｍｏｄｅ  Ｃｏｍｐｌｅｔｅ」を送信し、ステップＳ１０１３において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５８】
ステップＳ１０１４において、無線基地局ＤｅＮＢは、コアノードＣＮに対して、「Ｉｎｉｔｉａｌ  Ｃｏｎｔｅｘｔ  Ｓｅｔｕｐ  Ｒｅｓｐｏｎｓｅ」を送信する。
【００５９】
ステップＳ１０１５において、リレーノードＲＮは、コアノードＣＮに対して、「Ａｔｔａｃｈ  Ｃｏｍｐｌｅｔｅ」を送信する。
【００６０】
（本発明の第１の実施形態に係る移動通信システムの作用・効果）
本発明の第１の実施形態に係る移動通信システムによれば、無線基地局ＤｅＮＢ配下のリレーノードＲＮや移動局ＵＥの数や、トラフィック量を考慮して、リレーノードＲＮにおけるリソースを制御することができる。
【００６１】
（変更例１）
図８を参照して、本発明の第１の実施形態の変更例１に係る移動通信システムについて説明する。以下、本変更例１に係る移動通信システムについて、上述の本発明の第１の実施形態に係る移動通信システムとの相違点に着目して説明する。
【００６２】
本変更例１に係る移動通信システムでは、無線基地局ＤｅＮＢの送信部１２は、「ＲＲＣ  Ｃｏｎｎｅｃｔｉｏｎ  Ｒｅｃｏｎｆｉｇｕｒａｔｉｏｎ」の代わりに、「Ｕｎ  Ｓｅｔｕｐ  Ｒｅｓｐｏｎｓｅ」によって、リレーノードＲＮに対して、ＭＢＳＦＮサブフレームの送信タイミングを通知するように構成されていてもよい。
【００６３】
なお、「Ｕｎ  Ｓｅｔｕｐ  Ｒｅｓｐｏｎｓｅ」は、既存のＲＲＣコネクションの設定手順には規定されておらず、無線基地局ＤｅＮＢとリレーノードＲＮとの間で新たに規定される手順で用いられる信号である。
【００６４】
また、リレーノードＲＮの受信部２１は、上述の「Ｕｎ  Ｓｅｔｕｐ  Ｒｅｓｐｏｎｓｅ」から、ＭＢＳＦＮサブフレームの送信タイミングを取得するように構成されていてもよい。
【００６５】
以下、図８を参照して、本変更例１に係る移動通信システムの動作について説明する。
【００６６】
図８に示すように、ステップＳ２００１乃至Ｓ２０１５の動作は、図７に示すステップＳ１００１乃至Ｓ１０１５の動作と同一である。ただし、ステップＳ２０１１において  無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、上述のＭＢＳＦＮサブフレームの送信タイミングを通知しない。
【００６７】
ステップＳ２０１６において、リレーノードＲＮは、無線基地局ＤｅＮＢに対して、リレーノードＲＮが無線中継基地局として動作するために必要なＵｎ無線ベアラをリレーノードＲＮと無線基地局ＤｅＮＢとの間で設定することを要求する「Ｕｎ  Ｓｅｔｕｐ  Ｒｅｑｕｅｓｔ」を送信する。
【００６８】
ステップＳ２０１７において、無線基地局ＤｅＮＢは、リレーノードＲＮに対して、「Ｕｎ  Ｓｅｔｕｐ  Ｒｅｓｐｏｎｓｅ」を送信する。
【００６９】
ここで、無線基地局ＤｅＮＢは、リレーノードＲＮに対して、「Ｕｎ  Ｓｅｔｕｐ  Ｒｅｓｐｏｎｓｅ」によって、上述のＭＢＳＦＮサブフレームの送信タイミングを通知する。
【００７０】
以上に述べた本実施形態の特徴は、以下のように表現されていてもよい。
【００７１】
本実施形態の第１の特徴は、移動通信方法であって、無線基地局ＤｅＮＢとリレーノードＲＮとの間でＲＲＣコネクション（コネクション）を設定する際に、無線基地局ＤｅＮＢが、リレーノードＲＮに対して、ＭＢＳＦＮサブフレームの送信タイミング（所定タイミング）を通知する工程Ａと、無線基地局ＤｅＮＢが、ＭＢＳＦＮサブフレームの送信タイミングでリレーノードＲＮに対して下り信号を送信するようにスケジューリングを行う工程Ｂと、リレーノードＲＮが、ＭＢＳＦＮサブフレームの送信タイミング以外のタイミングで下り信号を送信するようにスケジューリングを行う工程Ｃとを有することを要旨とする。
【００７２】
本実施形態の第１の特徴において、工程Ａにおいて、無線基地局ＤｅＮＢは、ＲＲＣコネクションの設定手順において送信される「ＲＲＣ  Ｃｏｎｎｅｃｔｉｏｎ  Ｒｅｃｏｎｆｉｇｕｒａｔｉｏｎ」によって、リレーノードＲＮに対して、ＭＢＳＦＮサブフレームの送信タイミングを通知してもよい。
【００７３】
本実施形態の第２の特徴は、無線基地局ＤｅＮＢであって、リレーノードＲＮとの間でＲＲＣコネクションを設定する際に、リレーノードＲＮに対して、ＭＢＳＦＮサブフレームの送信タイミングを通知するように構成されている送信部１２と、ＭＢＳＦＮサブフレームの送信タイミングでリレーノードＲＮに対して下り信号を送信するようにスケジューリングを行うように構成されているスケジューリング部１３とを具備することを要旨とする。
【００７４】
本実施形態の第２の特徴において、ＲＲＣコネクションの設定手順において送信される「ＲＲＣ  Ｃｏｎｎｅｃｔｉｏｎ  Ｒｅｑｕｅｓｔ」を受信するように構成されている受信部１１を具備し、ＲＲＣコネクションの設定手順において、送信部１２は、受信部１１によって受信された「ＲＲＣ  Ｃｏｎｎｅｃｔｉｏｎ  Ｒｅｑｕｅｓｔ」の送信元がリレーノードＲＮである場合、「ＲＲＣ  Ｃｏｎｎｅｃｔｉｏｎ  Ｒｅｃｏｎｆｉｇｕｒａｔｉｏｎ」によって、リレーノードＲＮに対して、ＭＢＳＦＮサブフレームの送信タイミングを通知するように構成されていてもよい。
【００７５】
本実施形態の第３の特徴は、リレーノードＲＮであって、無線基地局ＤｅＮＢとの間でＲＲＣコネクションを設定する際に、無線基地局ＤｅＮＢから、ＭＢＳＦＮサブフレームの送信タイミングを取得するように構成されている受信部２１と、ＭＢＳＦＮサブフレームの送信タイミング以外のタイミングで下り信号を送信するようにスケジューリングを行うように構成されているスケジューリング部２２とを具備することを要旨とする。
【００７６】
本実施形態の第３の特徴において、受信部２１は、ＲＲＣコネクションの設定手順において送信される「ＲＲＣ  Ｃｏｎｎｅｃｔｉｏｎ  Ｒｅｃｏｎｆｉｇｕｒａｔｉｏｎ」から、ＭＢＳＦＮサブフレームの送信タイミングを取得するように構成されていてもよい。
【００７７】
本実施形態の第３の特徴において、ＲＲＣコネクションの設定手順において、リレーノードＲＮによって送信されたことを示す情報を含む「ＲＲＣ  Ｃｏｎｎｅｃｔｉｏｎ  Ｒｅｑｕｅｓｔ」を送信するように構成されている送信部２４を具備してもよい。
【００７８】
（本発明の第２の実施形態に係る移動通信システム）
図９乃至図１２を参照して、本発明の第２の実施形態に係る移動通信システムについて説明する。以下、本発明の第２の実施形態に係る移動通信システムについて、上述の本発明の第１の実施形態に係る移動通信システムとの相違点に着目して説明する。
【００７９】
本発明の第２の実施形態に係る移動通信システムでは、無線基地局ＤｅＮＢではなく、リレーノードＲＮによって、上述のＭＢＳＦＮサブフレームの送信タイミングが決定されるように構成されている。
【００８０】
図９に示すように、リレーノードＲＮは、受信部２１と、スケジューリング部２２と、決定部２３と、送信部２４とを具備している。
【００８１】
決定部２３は、上述のＭＢＳＦＮサブフレームの送信タイミングを決定するように構成されている。
【００８２】
例えば、決定部２３は、リレーノードＲＮ内に局データとして予め記憶されているタイミングを、上述のＭＢＳＦＮサブフレームの送信タイミングとしてもよいし、ＯＡＭ（Ｏｐｅｒａｔｉｏｎ  ＆  Ｍａｉｎｔｅｎａｎｃｅ）サーバから取得したタイミングを、上述のＭＢＳＦＮサブフレームの送信タイミングとしてもよい。
【００８３】
送信部２４は、無線基地局ＤｅＮＢとの間でＲＲＣコネクションを設定する際に、無線基地局ＤｅＮＢに対して、ＭＢＳＦＮサブフレームの送信タイミングを通知するように構成されている。
【００８４】
具体的には、送信部２４は、既存のＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」によって、リレーノードＲＮに対して、ＭＢＳＦＮサブフレームの送信タイミングを通知するように構成されていてもよい。
【００８５】
例えば、図１０に示すように、送信部２４は、「ＲＲＣ  ＲＮ（ＵＥ）  Ｃａｐａｂｉｌｉｔｙ  Ｉｎｆｏｒｍａｔｉｏｎ」内の情報要素「ＵＥＣａｐａｂｉｌｉｔｙＩｎｆｏｒｍａｔｉｏｎ-ｒ８」内の「ｕｅ-ＣａｐａｂｉｌｉｔｙＲＡＴ-ＣｏｎｔａｉｎｅｒＬｉｓｔ」（Ａ）に、ＭＢＳＦＮサブフレームの送信タイミングを示す「ＭＢＳＦＮサブフレーム割り当てパターン（図５参照）」を設定してもよい。
【００８６】
図１１に示すように、無線基地局ＤｅＮＢは、受信部１１と、送信部１２と、スケジューリング部１３とを具備している。
【００８７】
受信部１１は、リレーノードＲＮとの間でＲＲＣコネクションを設定する際に、リレーノードＲＮから、ＭＢＳＦＮサブフレームの送信タイミングを取得するように構成されている。
【００８８】
具体的には、受信部１１は、ＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」から、ＭＢＳＦＮサブフレームの送信タイミングを取得するように構成されていてもよい。
【００８９】
以下、図１２を参照して、本発明の第２の実施形態に係る移動通信システムの動作について説明する。
【００９０】
図１２に示すように、ステップＳ３００１乃至Ｓ２０１５の動作は、図７に示すステップＳ１００１乃至Ｓ１０１５の動作と同一である。
【００９１】
ただし、ステップＳ２０１１において  無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、上述のＭＢＳＦＮサブフレームの送信タイミングを通知しない。
【００９２】
その代わりに、ステップＳ３００８において、リレーノードＲＮは、「ＲＲＣ  ＲＮ（ＵＥ）  Ｃａｐａｂｉｌｉｔｙ  Ｉｎｆｏｒｍａｔｉｏｎ」によって、リレーノードＲＮに対して、ＭＢＳＦＮサブフレームの送信タイミングを通知する。
【００９３】
本発明の第２の実施形態に係る移動通信システムによれば、シンプルな制御によって、リレーノードＲＮにおける干渉の発生を低減することができる。
【００９４】
（変更例１）
図１３を参照して、本発明の第２の実施形態の変更例１に係る移動通信システムについて説明する。以下、本変更例１に係る移動通信システムについて、上述の本発明の第２の実施形態に係る移動通信システムとの相違点に着目して説明する。
【００９５】
本変更例１に係る移動通信システムでは、リレーノードＲＮの送信部２４は、「ＲＲＣ  ＲＮ（ＵＥ）  Ｃａｐａｂｉｌｉｔｙ  Ｉｎｆｏｒｍａｔｉｏｎ」の代わりに、「Ｕｎ  ＲＮ  Ｃｏｎｆｉｇｕｒａｔｉｏｎ  Ｉｎｄｉｃａｔｉｏｎ」によって、無線基地局ＤｅＮＢに対して、ＭＢＳＦＮサブフレームの送信タイミングを通知するように構成されていてもよい。
【００９６】
なお、「Ｕｎ  ＲＮ  Ｃｏｎｆｉｇｕｒａｔｉｏｎ  Ｉｎｄｉｃａｔｉｏｎ」は、既存のＲＲＣコネクションの設定手順には規定されておらず、無線基地局ＤｅＮＢとリレーノードＲＮとの間で新たに規定される手順で用いられる信号である。
【００９７】
また、無線基地局ＤｅＮＢの受信部１１は、上述の「Ｕｎ  ＲＮ  Ｃｏｎｆｉｇｕｒａｔｉｏｎ  Ｉｎｄｉｃａｔｉｏｎ」から、ＭＢＳＦＮサブフレームの送信タイミングを取得するように構成されていてもよい。
【００９８】
以下、図１３を参照して、本変更例１に係る移動通信システムの動作について説明する。
【００９９】
図１３に示すように、ステップＳ４００１乃至Ｓ２０１５の動作は、図１２に示すステップＳ３００１乃至Ｓ３０１５の動作と同一である。ただし、ステップＳ４００８において  リレーノードＲＮは、無線基地局ＤｅＮＢに対して、「ＲＲＣ  ＲＮ（ＵＥ）  Ｃａｐａｂｉｌｉｔｙ  Ｉｎｆｏｒｍａｔｉｏｎ」によって、上述のＭＢＳＦＮサブフレームの送信タイミングを通知しない。
【０１００】
ステップＳ４０１６において、リレーノードＲＮは、無線基地局ＤｅＮＢに対して、リレーノードＲＮと無線基地局ＤｅＮＢとの間の無線中継基地局としてのＵｎ無線ベアラの構成を通知する「Ｕｎ  ＲＮ  Ｃｏｎｆｉｇｕｒａｔｉｏｎ  Ｉｎｄｉｃａｔｉｏｎ」を送信する。
【０１０１】
ここで、リレーノードＲＮは、無線基地局ＤｅＮＢに対して、「Ｕｎ  ＲＮ  Ｃｏｎｆｉｇｕｒａｔｉｏｎ  Ｉｎｄｉｃａｔｉｏｎ」によって、上述のＭＢＳＦＮサブフレームの送信タイミングを通知する。
【０１０２】
以上に述べた本実施形態の特徴は、以下のように表現されていてもよい。
【０１０３】
本実施形態の第１の特徴は、移動通信方法であって、無線基地局ＤｅＮＢとリレーノードＲＮとの間でＲＲＣコネクションを設定する際に、リレーノードＲＮが、無線基地局ＤｅＮＢに対して、ＭＢＳＦＮサブフレームの送信タイミングを通知する工程Ａと、無線基地局ＤｅＮＢが、ＭＢＳＦＮサブフレームの送信タイミングでリレーノードＲＮに対して下り信号を送信するようにスケジューリングを行う工程Ｂと、リレーノードＲＮが、ＭＢＳＦＮサブフレームの送信タイミング以外のタイミングで下り信号を送信するようにスケジューリングを行う工程Ｃとを有することを要旨とする。
【０１０４】
本実施形態の第１の特徴において、工程Ａにおいて、リレーノードＲＮは、ＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」によって、無線基地局ＤｅＮＢに対して、ＭＢＳＦＮサブフレームの送信タイミングを通知してもよい。
【０１０５】
本実施形態の第２の特徴は、無線基地局ＤｅＮＢであって、リレーノードＲＮとの間でＲＲＣコネクションを設定する際に、リレーノードＲＮから、ＭＢＳＦＮサブフレームの送信タイミングを取得するように構成されている受信部１１と、ＭＢＳＦＮサブフレームの送信タイミングでリレーノードＲＮに対して下り信号を送信するようにスケジューリングを行うように構成されているスケジューリング部１３とを具備することを要旨とする。
【０１０６】
本実施形態の第２の特徴において、受信部１１は、ＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」から、ＭＢＳＦＮサブフレームの送信タイミングを取得するように構成されていてもよい。
【０１０７】
本実施形態の第３の特徴は、リレーノードＲＮであって、無線基地局ＤｅＮＢとの間でＲＲＣコネクションを設定する際に、無線基地局ＤｅＮＢに対して、ＭＢＳＦＮサブフレームの送信タイミングを通知するように構成されている送信部２４と、ＭＢＳＦＮサブフレームの送信タイミング以外のタイミングで下り信号を送信するようにスケジューリングを行うように構成されているスケジューリング部２２とを具備することを要旨とする。
【０１０８】
本実施形態の第３の特徴において、ＲＲＣコネクションの設定手順において、送信部２４は、「ＲＲＣ  ＲＮ（ＵＥ）  Ｃａｐａｂｉｌｉｔｙ  Ｉｎｆｏｒｍａｔｉｏｎ」によって、無線基地局ＤｅＮＢに対して、ＭＢＳＦＮサブフレームの送信タイミングを通知するように構成されていてもよい。
【０１０９】
なお、上述の無線基地局ＤｅＮＢやリレーノードＲＮやコアノードＣＮや移動局ＵＥの動作は、ハードウェアによって実施されてもよいし、プロセッサによって実行されるソフトウェアモジュールによって実施されてもよいし、両者の組み合わせによって実施されてもよい。
【０１１０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮやコアノードＣＮや移動局ＵＥ内に設けられていてもよい。また、かかる記憶媒体及びプロセッサは、ディスクリートコンポーネントとして無線基地局ＤｅＮＢやリレーノードＲＮやコアノードＣＮや移動局ＵＥ内に設けられていてもよい。
【０１１２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１３】
ＤｅＮＢ…無線基地局
１１…受信部
１２…送信部
１３…スケジューリング部
１４…決定部
ＲＮ…リレーノード
２１…受信部
２２…スケジューリング部
２３…決定部
２４…送信部
【図１】
2011004371.tif 000003
【図２】
2011004371.tif 000004
【図３】
2011004371.tif 000005
【図４】
2011004371.tif 000006
【図５】
2011004371.tif 000007
【図６】
2011004371.tif 000008
【図７】
2011004371.tif 000009
【図８】
2011004371.tif 000010
【図９】
2011004371.tif 000011
【図１０】
2011004371.tif 000012
【図１１】
2011004371.tif 000013
【図１２】
2011004371.tif 000014
【図１３】
2011004371.tif 000015
【手続補正書】
【提出日】平成22年6月7日(2010.6.7)
【手続補正１】
【補正対象書類名】特許請求の範囲
【補正対象項目名】請求項９
【補正方法】変更
【補正の内容】
【請求項９】
前記コネクションは、ＲＲＣコネクションであり、
前記取得部は、前記ＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」から前記所定タイミングを取得するように構成されていることを特徴とする請求項８に記載の無線基地局。
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
無線基地局とリレーノードとの間でコネクションを設定する際に、該無線基地局が、該リレーノードに対して、ＭＢＳＦＮサブフレームの送信タイミングを通知する工程Ａと、
前記無線基地局が、前記ＭＢＳＦＮサブフレームの送信タイミングで前記リレーノードに対して下り信号を送信するようにスケジューリングを行う工程Ｂと、
前記リレーノードが、前記ＭＢＳＦＮサブフレームの送信タイミング以外のタイミングで下り信号を送信するようにスケジューリングを行う工程Ｃとを有することを特徴とする移動通信方法。
【請求項２】
前記コネクションは、ＲＲＣコネクションであり、
前記工程Ａにおいて、前記無線基地局は、前記ＲＲＣコネクションの設定手順において送信される「ＲＲＣ  Ｃｏｎｎｅｃｔｉｏｎ  Ｒｅｃｏｎｆｉｇｕｒａｔｉｏｎ」によって、前記リレーノードに対して、前記ＭＢＳＦＮサブフレームの送信タイミングを通知することを特徴とする請求項１に記載の移動通信方法。
【請求項３】
無線基地局とリレーノードとの間でコネクションを設定する際に、該リレーノードが、該無線基地局に対して、ＭＢＳＦＮサブフレームの送信タイミングを通知する工程Ａと、
前記無線基地局が、前記ＭＢＳＦＮサブフレームの送信タイミングで前記リレーノードに対して下り信号を送信するようにスケジューリングを行う工程Ｂと、
前記リレーノードが、前記ＭＢＳＦＮサブフレームの送信タイミング以外のタイミングで下り信号を送信するようにスケジューリングを行う工程Ｃとを有することを特徴とする移動通信方法。
【請求項４】
前記コネクションは、ＲＲＣコネクションであり、
前記工程Ａにおいて、前記リレーノードは、前記ＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」によって、前記無線基地局に対して、前記ＭＢＳＦＮサブフレームの送信タイミングを通知することを特徴とする請求項３に記載の移動通信方法。
【請求項５】
無線基地局であって、
リレーノードとの間でコネクションを設定する際に、該リレーノードに対して、ＭＢＳＦＮサブフレームの送信タイミングを通知するように構成されている通知部と、
前記ＭＢＳＦＮサブフレームの送信タイミングで前記リレーノードに対して下り信号を送信するようにスケジューリングを行うように構成されているスケジューリング部とを具備し、
前記ＭＢＳＦＮサブフレームの送信タイミングでは、前記リレーノードによって下り信号を送信するようにスケジューリングされないことを特徴とする無線基地局。
【請求項６】
前記コネクションは、ＲＲＣコネクションであり、
前記ＲＲＣコネクションの設定手順において送信される「ＲＲＣ  Ｃｏｎｎｅｃｔｉｏｎ  Ｒｅｑｕｅｓｔ」を受信するように構成されている受信部を具備し、
前記ＲＲＣコネクションの設定手順において、前記通知部は、前記受信部によって受信された「ＲＲＣ  Ｃｏｎｎｅｃｔｉｏｎ  Ｒｅｑｕｅｓｔ」の送信元が前記リレーノードである場合、「ＲＲＣ  Ｃｏｎｎｅｃｔｉｏｎ  Ｒｅｃｏｎｆｉｇｕｒａｔｉｏｎ」によって、前記リレーノードに対して、前記ＭＢＳＦＮサブフレームの送信タイミングを通知するように構成されていることを特徴とする請求項５に記載の無線基地局。
【請求項７】
無線基地局であって、
リレーノードとの間でコネクションを設定する際に、該リレーノードから、ＭＢＳＦＮサブフレームの送信タイミングを取得するように構成されている取得部と、
前記ＭＢＳＦＮサブフレームの送信タイミングで前記リレーノードに対して下り信号を送信するようにスケジューリングを行うように構成されているスケジューリング部とを具備し、
前記ＭＢＳＦＮサブフレームの送信タイミングでは、前記リレーノードによって下り信号を送信するようにスケジューリングされないことを特徴とする無線基地局。
【請求項８】
前記コネクションは、ＲＲＣコネクションであり、
前記取得部は、前記ＲＲＣコネクションの設定手順において送信される「ＲＲＣ  ＲＮ（ＵＥ）  Ｃａｐａｂｉｌｉｔｙ  Ｉｎｆｏｒｍａｔｉｏｎ」から前記ＭＢＳＦＮサブフレームの送信タイミングを取得するように構成されていることを特徴とする請求項７に記載の無線基地局。
【請求項９】
リレーノードであって、
無線基地局との間でコネクションを設定する際に、該無線基地局から、ＭＢＳＦＮサブフレームの送信タイミングを取得するように構成されている取得部と、
前記ＭＢＳＦＮサブフレームの送信タイミング以外のタイミングで下り信号を送信するようにスケジューリングを行うように構成されているスケジューリング部とを具備し、
前記ＭＢＳＦＮサブフレームの送信タイミングにおいて、前記無線基地局によって下り信号を送信するようにスケジューリングされることを特徴とするリレーノード。
【請求項１０】
前記コネクションは、ＲＲＣコネクションであり、
前記取得部は、前記ＲＲＣコネクションの設定手順において送信される「ＲＲＣ  Ｃｏｎｎｅｃｔｉｏｎ  Ｒｅｃｏｎｆｉｇｕｒａｔｉｏｎ」から、前記ＭＢＳＦＮサブフレームの送信タイミングを取得するように構成されていることを特徴とする請求項９に記載のリレーノード。
【請求項１１】
前記ＲＲＣコネクションの設定手順において、前記リレーノードによって送信されたことを示す情報を含む「ＲＲＣ  Ｃｏｎｎｅｃｔｉｏｎ  Ｒｅｑｕｅｓｔ」を送信するように構成されている送信部を具備することを特徴とする請求項９に記載のリレーノード。
【請求項１２】
リレーノードであって、
無線基地局との間でコネクションを設定する際に、該無線基地局に対して、ＭＢＳＦＮサブフレームの送信タイミングを通知するように構成されている通知部と、
前記ＭＢＳＦＮサブフレームの送信タイミング以外のタイミングで下り信号を送信するようにスケジューリングを行うように構成されているスケジューリング部とを具備し、
前記ＭＢＳＦＮサブフレームの送信タイミングにおいて、前記無線基地局によって下り信号を送信するようにスケジューリングされることを特徴とするリレーノード。
【請求項１３】
前記コネクションは、ＲＲＣコネクションであり、
前記ＲＲＣコネクションの設定手順において、前記通知部は、「ＲＲＣ  ＲＮ（ＵＥ）  Ｃａｐａｂｉｌｉｔｙ  Ｉｎｆｏｒｍａｔｉｏｎ」によって、前記無線基地局に対して、前記ＭＢＳＦＮサブフレームの送信タイミングを通知するように構成されていることを特徴とする請求項１２に記載のリレーノード。